(57)【特許請求の範囲】
【請求項１】
家具の扉の開閉時における動作をガイドおよび支持するのに適した、該家具の扉を開放および支持するための改良型ガイド装置（１０）であって、
上記改良型ガイド装置（１０）は、フォールフロント式の扉（１６）を備えた家具（１４）のフレームの側方肩（１２）の内側面に取り付けられるほぼ矩形のコンテナ本体（１１）を含み、上記扉（１６）は、家具（１４）のフレームに取り付けられた少なくとも１つのヒンジ（１８）を介して開放可能であると共に、
上記扉（１６）は、上記扉（１６）の内側面に拘束された係合素子（２２）を介して該扉（１６）に取り付けられたケーブル（２０）によりコンテナ本体（１１）に動作可能に連結されており、
上記改良型ガイド装置（１０）は、上記コンテナ本体（１１）内を摺動する本体スライダ（４８）を含み、
上記本体スライダ（４８）は、
上記本体スライダ（４８）とコンテナ本体（１１）との間で動作する戻しバネに抗してまたは補助されて、上記本体スライダ（４８）を移動させるため、および、上記ケーブル（２０）が取り付けられた歯車（５２）から上記ケーブル（２０）を繰り出すため／上記歯車（５２）に上記ケーブル（２０）を巻き付けるために、上記コンテナ本体（１１）のはめ歯状の輪郭すなわちラック（３２）に対して回転移動する歯車（５２）を含むことを特徴とする、改良型ガイド装置。
【請求項２】
上記本体スライダ（４８）のストローク終了時の衝撃を吸収するのに適した制振手段を含むことを特徴とする請求項１に記載の装置。
【請求項３】
戻しバネ（５８）は螺旋バネにより規定され、制振手段は制振素子（５６）により規定され、
上記バネおよび制振素子は、
上記本体スライダ（４８）により駆動されると共に、
コンテナ本体（１１）内に設置された別の回転移動駆動手段であって、扉（１６）の開閉時における上記本体スライダの移動を調整および制御するのに適した、別の回転移動駆動手段と協動することを特徴とする請求項１または２に記載の改良型ガイド装置。
【請求項４】
歯車（５２）は、対向する２つのハブ（５２’、５２”）を含み、
ハブ（５２’、５２”）は、コンテナ本体（１１）の互いに同等且つ対称な第１ハーフシェル（２４）および第２ハーフシェル（２６）内に形成されたはめ歯状の輪郭すなわちラック（３２）と嵌合するのに適したはめ歯状の外輪郭を有することを特徴とする請求項１、２または３に記載のガイド装置。
【請求項５】
上記別の回転移動駆動手段は、ネジ切りされた第１ピン（６６）および第２ピン（６８）であって第１プッシャー（６２）および第２プッシャー（６４）にそれぞれ同軸に挿入されている第１ピン（６６）および第２ピン（６８）により規定され、
第１プッシャー（６２）および第２プッシャー（６４）は、軸方向にネジ切りされてコンテナ本体（１１）の内部に摺動するように設けられていることを特徴とする請求項３に記載のガイド装置。
【請求項６】
コンテナ本体（１１）の各ハーフシェル（２４、２６）は、下部および上部を含み、
該下部は、
長手方向に延伸された矩形状の断面を有するポケット（２８）と、
ハーフシェルの一端において形成され、ケーブル（２０）用の随意的なジョッキープーリ（６０）を格納するのに適した円状のポケット（４０）とを備え、
該ポケット（２８）の中央には、長手方向に延伸された矩形状の断面を有する窪み（３０）が形成されており、
該窪み（３０）の下縁には、はめ歯状の輪郭すなわちラック（３２）が形成されており、
該上部は、
ポケット（２８）の長さとほぼ一致する長さ分だけ長手方向に延伸された二つ葉状のシート（３４）と、
各ハーフシェルの端部において長手方向に沿って形成された別のシート（４２）とを備え、
該シート（３４）は、互いに重なるように隣接する第１ローブ（３６）および第２ローブ（３８）を備え、
該別のシート（４２）は、互いに重なるように隣接する別の第１ローブ（４４）および別の第２ローブ（４６）を含み、
上記ポケット（２８）および上記シート（３４、４２）は、本体スライダ（４８）のための摺動ガイド、および、第１と第２プッシャー（６２、６４）のための摺動ガイドを規定していることを特徴とする請求項４または５に記載のガイド装置。
【請求項７】
本体スライダ（４８）は、下部および上部をそれぞれ有する互いに同等且つ対称な２つのハーフシェル（４８’、４８”）を含み、
該下部は、ハーフシェル（２４、２６）のポケット（２８）と係合するのに適し、
該下部は、歯車（５２）を格納するための円状の中空区画（５０）を含み、
該上部は、当該ハーフシェル（２４、２６）のシート（３４）とほぼ一致する二つ葉状の区画（５４）を含み、
該区画（５４）は、
制振素子（５６）および螺旋バネ（５８）を収納するのに適し、且つ重なるように隣接する上ローブ（５４’）および下ローブ（５４”）を有することを特徴とする請求項６に記載のガイド装置。
【請求項８】
コンテナ本体（１１）の各ハーフシェル（２４、２６）は、上記別のシート（４２）とは反対側の末端頂点において、制振素子（５６）を駆動するための肩部すなわち結合部（４５）を含むことを特徴とする請求項６または７に記載のガイド装置。
【請求項９】
制振素子（５６）はダンパー（５６’）を含んでおり、
ダンパー（５６’）には、
ほぼ円柱状で、本体スライダ（４８）の二つ葉状の区画（５４）の上ローブ（５４’）内を摺動する筐体（５６”）が同軸上に嵌合されていることを特徴とする請求項７に記載のガイド装置。
【請求項１０】
第１ピン（６６）および第２ピン（６８）には、プッシャー（６２）および（６４）とは反対側に、円柱状の末端クラウン（７０）が設けられており、
上記末端クラウン（７０）は、当該第１および第２ピンの軸と直交する平面に沿って円周方向に形成されたはめ歯状の輪郭を有し、
上記末端クラウン（７０）は、上記円柱状の末端クラウン（７０）の位置でハーフシェル（２４、２６）上に形成された２つの貫通孔（４１）に導入される工具により、プッシャーの位置調節を可能にするのに適していることを特徴とする請求項５に記載のガイド装置。
【請求項１１】
家具の左または右の側方肩（１２）上に、水平または垂直な方向に取り付けられることを特徴とする請求項１〜１０の何れか１項に記載のガイド装置。
【発明の詳細な説明】
【発明の詳細な説明】
【０００１】
本発明は、家具の扉を開放および支持するための改良型ガイド装置を目的とする。
【０００２】
より具体的には、本発明は、開放可能な扉を備えた家具に適用されるのに適した、開閉時の扉の動作をガイドおよび支持するためのガイド／支持装置に関する。
【０００３】
周知のように、開放可能なフォールフロント式の扉を備える家具、例えば食器棚、靴箱、バスルームやキッチン用のキャビネット、およびこれらに類似する家具では、通常、該扉と家具のフレームとを連結するように配置されたヒンジ機構により、該扉の開閉動作が可能となっている。
【０００４】
ユーザは、手で扉を操作して開け、そして、典型的には、扉を閉める際、再度手を扉に添える。
【０００５】
しかし、ユーザが過度な力で扉を操作したり、手を離したり、手を扉に添えないために扉によって家具のフレームに対して変動的な激しい衝撃が加えられたり、扉自体が完全に閉まらないといったことがある。これでは、家具が摩耗およびダメージを受けるほか、扉が半開き状態の場合には、安全性の問題（ユーザが扉にぶつかるリスク）および／または、美感を欠くなどの問題を引き起こす。
【０００６】
この欠点を解消するために、制振型のヒンジ連結や、例えば、扉の開閉動作を容易にし、且つ、衝撃を吸収するのに適した気圧式バネを含むガイド装置を備えるヒンジ連結、或いは、より一般的には、扉を閉鎖位置までゆっくり戻すことができるのに適したメカニズムのヒンジ連結が提案されている。
【０００７】
また、構造上の別の解決法として、梃子を備えるヒンジ機構や、扉の開閉動作を制御する制振調節手段を有する結合システム（例えば、関節つきの四辺形の結合システム）を備えるヒンジ機構を利用する方法がある。
【０００８】
しかし、これらの構造上の解決法では、梃子の存在に起因する構造の複雑さや寸法の増大に関する重大な欠点、および、関連コストに関する重大な欠点を伴う。
【０００９】
また、構造上の別の簡単な解決法として、フレームに取り付けられケーブルが突出する支持構造と、扉とに連結された該ケーブルにより、該扉の開閉動作をガイドする方法（例えば、本出願人によるＥＰ１６９１０１６Ａ１、およびＤＥ−２０２００８００２２３２ＵＬを参照）がある。
【００１０】
しかし、これらの装置も、その構造が上述の構造よりも簡単なものであっても、その構造の全長に関係する大きな欠点、及び、扉の寸法や扉の開放時の傾斜に応じてケーブルの長さを正確に計算する必要性に関係する大きな欠点がある。結果として、これらの装置は、例えば、靴箱などの、該装置の片側にケーブルを適用できない奥行寸法が小さな家具について、その扉の動作をガイドするために用いることができない。
【００１１】
また、上記最後の従来のガイド装置は、特に、家具の片側（右側または左側）や単一の向きに対して適用されるように作られており、結果として、倉庫に幾つかの在庫を有する必要が生じ、関連のコストが増加するという更なる欠点がある。
【００１２】
本発明の目的は、上記の欠点を回避することにある。より具体的には、本発明の目的は、様々なタイプの家具に利用できるよう特に全体の寸法が抑えられた、家具の扉を開放および支持するための改良型ガイド装置であって、例えば靴箱やバスルーム用キャビネットなど、奥行が浅い家具の有効スペースを制限しない改良型ガイド装置を提供することにある。
【００１３】
本発明の更なる目的は、家具の左右側に関係なく、様々な向きで利用可能なガイド装置を提供することにある。
【００１４】
また、本発明の更なる目的は、ユーザに、時間がたっても高い耐性および信頼性を確保するのに適し、簡単かつ経済的に製造できる、家具のフォールフロント式の扉を開放および支持するための改良型ガイド装置を提供することにある。
【００１５】
本発明の装置の更なる目的は、ガイド装置の材料、特に扉を支持するためのケーブルの材料を節約することにより、該ガイド装置の製造コストを低減させることにある。
【００１６】
上記の目的および他の目的は、請求項１に記載の特徴を有する本発明により達成される。
【００１７】
本発明によれば、家具の扉の開閉時における動作をガイドおよび支持するのに適した、該家具の扉を開放および支持するための改良型ガイド装置であって、上記改良型ガイド装置は、フォールフロント式の扉を備えた家具のフレームの側方肩の内側面に取り付けられるほぼ矩形のコンテナ本体を含み、上記扉は、家具のフレームに取り付けられた少なくとも１つのヒンジを介して開放可能であると共に、上記扉は、上記扉の内側面に拘束された係合素子を介して該扉に取り付けられたケーブルによりコンテナ本体に動作可能に連結されており、上記改良型ガイド装置はさらに、上記コンテナ本体内を摺動する本体スライダを含み、上記本体スライダは、戻しバネに抗してまたは補助されて、上記本体スライダを移動させるため、および、上記ケーブルが取り付けられた回転移動手段から上記ケーブルを繰り出す(unwind)ため／上記回転移動手段に上記ケーブルを巻き付けるために、上記コンテナ本体のはめ歯状の輪郭すなわちラックに対して回転移動する回転移動手段を含む、改良型ガイド装置を提供する。
【００１８】
本体スライダのストローク終了時の衝撃を吸収するのに適した制振手段も提供する。
【００１９】
本発明の有益な実施形態は、従属請求項に開示されている。
【００２０】
家具の扉を開放および支持するための本発明の改良型ガイド装置の構造的および機能的特徴は、好ましい実施形態（但しこれに限定されない）を示す添付図面を参照として成された下記詳細な説明により、明確になるのであろう。
【００２１】
図１は、フォールフロント式の扉が閉じた状態の家具のフレームに適用された本発明のガイド装置を模式的に示す側面透視図である。
【００２２】
図２は、フォールフロント式の扉が閉じた状態の家具の内側または肩に適用された上記装置を、家具の内部から模式的に示す正面図である。
【００２３】
図３は、フォールフロント式の扉が開いた状態の構成における本発明の装置を模式的に示す側面透視図である。
【００２４】
図４は、図１の円Ｘで示される本発明の装置の一部を拡大した詳細を模式的に表す図である。
【００２５】
図５は、図３の円Ｙで示される本発明の装置の一部を拡大した詳細を模式的に表す図である。
【００２６】
図６は、本発明の装置を分解した状態の不等角投影を模式的に示す図である。
【００２７】
図７および図８は、それぞれ、前出の図とは異なる向きで家具のフレームに適用された本発明の装置を、内部から模式的に示す側面図および正面図である。
【００２８】
図９は、本発明の装置のコンテナ素子の部品を模式的に表す図である。
【００２９】
図１０および図１１は、それぞれ、前出の図のコンテナ素子を面Ａ−Ａおよび面Ｂ−Ｂに沿って切断した断面図である。
【００３０】
図１２および図１３は、本発明の装置の構成要素を模式的に示す側面図および正面図である。
【００３１】
上記の図面を参照すると、家具の扉を開放および支持するための本発明の改良型ガイド装置は、全体として「１０」で示され、家具１４のフレームの側方肩１２の内側面に取り付けられるほぼ矩形のコンテナ本体１１を含む。家具１４は、開放可能なフォールフロント式の扉１６を備えている。扉１６は、少なくとも１つのヒンジ１８を介して上記家具に取り付けられていると共に、ケーブル２０によりコンテナ本体１１に連結されている。ケーブル２０は、ガイド装置１０のコンテナ本体１１から（後に詳述する方法により）突出し、且つ、開放可能な扉１６の内側面に対して強固に拘束された係合素子２２と係合している。
【００３２】
本発明のガイド装置の駆動手段を内蔵するコンテナ本体１１は、２つの対称なハーフシェルである第１ハーフシェル２４および第２ハーフシェル２６により規定される。それぞれのハーフシェルは、アルミニウムやその合金、または、プラスチック、若しくは、目的に合った他の材料からなり、上記駆動手段または後述する機能的部品を内部に格納するよう成型されている。
【００３３】
特に図６、及び図９〜１１を参照すると、第１ハーフシェル２４（第２ハーフシェル２６も同じ構造を有するということを考慮し、更には説明しない）は、その下部において、矩形状の断面を有するポケット２８を含む。該ポケット２８は、上記ハーフシェルの内側面２１から該ハーフシェルの外側面２３の方向へ形成され、且つ、長手方向に延伸され、その中央には矩形状の断面を有する窪み３０が形成されている。窪み３０は、同様に長手方向に延伸され、その下縁に沿って、はめ歯状の輪郭３２すなわちラックが設けられている。
【００３４】
第１ハーフシェル２４の上部は、ポケット２８の長さとほぼ一致する長さ分、長手方向に延伸された二つ葉状のシート３４を含み、シート３４は、互いに重ねられた第１ローブ３６および第２ローブ３８を備えている。
【００３５】
第１ハーフシェル２４は、その下部の一端において、後述する機能を有する円状のポケット４０を有する。
【００３６】
同様に、それぞれのハーフシェルの上部における、円状のポケット４０の方向に向く一端には、二つ葉状の別のシート４２を有する。該別のシート４２は、互いに隣接する別の第１ローブ４４および別の第２ローブ４６と、上述ローブの軸と直交する方向に沿って、上記別のシート４４におけるシート３４とは反対側の一端に形成された２つの貫通孔４１と、を含む。貫通孔４１は、第１ハーフシェル２４の外側面の方向に向いている。
【００３７】
ハーフシェル２４の上部における、上記別のシート４２の位置とは反対側の末端頂点には、肩部すなわち結合部４５を有する。肩部すなわち結合部４５の機能は後に詳述する。
【００３８】
ポケット２８は、２つの同等、且つ対称なハーフシェル４８’および４８”により規定される摺動可能な本体スライダ４８を格納する機能を有する。ハーフシェル４８’および４８”の下部は、歯車５２を格納可能とするのに適した円状の中空区画５０を含み、ハーフシェル４８’および４８”の上部は、重なるように隣接する２つのローブ５４’および５４”（それぞれが上ローブ５４’および下ローブ５４”）を備えた二つ葉状の区画５４を含む。ローブ５４’および５４”の直径は、シート３４の第１ローブ３６および第２ローブ３８の直径と一致する。
【００３９】
上記上ローブ５４’および下ローブ５４”は、それぞれ、制振素子５６および、例えば螺旋バネ５８により規定される弾性素子を格納するのに適している。上記制振素子５６はダンパー５６’を含んでおり、ダンパー５６’には、ほぼ円柱状で、上ローブ５４’内を摺動する筐体５６”が同軸上に嵌合されている。
【００４０】
上記歯車は、コンテナ本体１１の第１ハーフシェル２４および第２ハーフシェル２６のはめ歯状の輪郭すなわちラック３２とそれぞれ嵌合するのに適したはめ歯状の外輪郭を有する２つの対向するハブ５２’および５２”と、周角の一部によって互いに角度を成すように互い違いに配置された対を成す２つのはめ歯状のクラウン５３および５３’を備える外輪郭と、を含む。具体的には、例えば、はめ歯状のクラウン５３における１つの歯が、はめ歯状のクラウン５３’における２つの歯の中間位置に配置される。
【００４１】
上記のように対を成す２つのはめ歯状のクラウン５３および５３’は、その内側において、ケーブル２０を巻付けるための円周方向に延伸された通路５７を規定している。ケーブル２０の一端は、上記歯車５２の軸に対して中心が異なるように形成された孔５９において該歯車５２に取り付けられており、他端は、既に明示したように、家具１４の開放可能な扉１６の前述付属素子２２に取り付けられている。
【００４２】
コンテナ本体１１の円状のポケット４０は、以下に説明するように、ケーブル２０が摺動する回転自由な随意的な滑車６０、すなわち、ジョッキープーリを格納するのに適している。
【００４３】
上記別のシート４２の上記別の第１ローブ４４および上記別の第２ローブ４６は、内部に軸方向のネジ切りを備えた第１プッシャー６２および第２プッシャー６４をそれぞれ摺動可能に格納する機能を有する。第１プッシャー６２および第２プッシャー６４には、円柱状の末端クラウン７０を（プッシャー６２および６４とは反対側に）有する第１ピン６６および第２ピン６８が同軸に挿入される。末端クラウン７０は、軸と直交する平面に沿って円周方向に形成されたはめ歯状の輪郭を有し、後述の機能のためのスクリュードライバやパンチ型などの工具と協動可能に上記別のシート４２の貫通孔４１の位置に配置される。
【００４４】
上述の内部部品を含む第１ハーフシェル２４および第２ハーフシェル２６は、ネジ、ピン、スナップ式の変形で保持する素子や、類似の公知のものであって、目的に合ったものによって互いに連結される。
【００４５】
以上、家具の扉を開放および支持するための本発明の改良型ガイド装置について、その構造的特徴を参照して詳しく述べたが、その機能について以下に説明する。
【００４６】
図１を参照すると、扉１６が閉じた状態の家具が模式的に示されている。
【００４７】
この状態では、本体スライダ４８は完全に後方に位置しており、ケーブル２０は歯車５２に巻き付けられ、螺旋バネ５８は静止した状態にあり、そして、制振素子５６の後部は肩部すなわち結合部４５に接触している。
【００４８】
ユーザが扉１６を（扉を完全に開いた構成を示す図３の矢印Ａに示されるように）開けると、扉１６に連結されたケーブル２０が引っ張られることにより、歯車５２は、ケーブル２０を巻き出しながら、また、同時に、本体スライダ４８を滑車６０の方向に移動させて螺旋バネ５８を圧縮させながら、はめ歯状の輪郭すなわちラック３２に対して回転移動する。
【００４９】
扉の開放段階においてストローク終了時に生じ得る衝撃は、制振素子５６の動作により制振される。制振素子５６では、ダンパー５６’の筐体５６”の前端または前部が、上記別の第１ローブ４４内に配置された第１プッシャー６２に接触し、続いてダンパーを圧縮することにより、衝撃を吸収している。
【００５０】
同様に、扉１６を閉める際は、螺旋バネ５８の復帰動作の効果により、歯車５２は、始動方向とは逆の方向へ、はめ歯状の輪郭すなわちラック３２に対して回転移動する。これにより、上記歯車を格納する上記本体スライダ４８が移動すると同時に、ケーブル２０が該歯車上に巻き付けられる。
【００５１】
この場合、制振素子５６は、肩部すなわち結合部４５に接触して、上記復帰段階における本体スライダ４８の衝撃を吸収する。
【００５２】
さらに、ユーザは、工具、例えば、スクリュードライバの先端をコンテナ本体１１の貫通孔４１内に導入することにより、第１ピン６６および／または第２ピン６８の円柱状の末端クラウン７０のはめ歯状輪郭に対して操作を行うことができる。当該ピンを回転させ、第１プッシャー６２および／または第２プッシャー６４を回転移動させることにより、螺旋バネ５８の予圧、および／または、扉の開放を制限する機能も有する制振素子の動作を調節することができる。これは、扉の開放時の傾斜を正確に決定するのに有用であり、同様に、必要な場合に機構を下方に位置決めするのに有用である。
【００５３】
この構造およびアセンブリ構成に関しては、ジョッキープーリ６０を備えなくてもよい。
【００５４】
本発明のガイド装置は、９０°回転させて家具に取り付けられてもよい。すなわち、図７および図８に示すように、前述した水平位置に対して垂直位置に取り付けられてもよい。この構成は、奥行が浅い家具に特に好ましく適用するのに適している。なお、該ガイド装置の機能は、全体的には前述した機能と同様である。
【００５５】
この場合、ケーブル２０を正確にガイドするため、また、ケーブル２０のテンションを確保するために、ジョッキープーリ６０は常に備えられている。
【００５６】
本発明の装置により達成される利点は、上記のように明白である。
【００５７】
家具の扉を開放および支持するための本発明の改良型ガイド装置は、歯車がラックに対して回転移動するおかげで、ケーブル２０が巻き付けられる当該歯車の直径を好適に小さくでき、また、該ケーブル長さを好適に短くことができる。これは、ケーブル長さの一部が、上記ラックに沿って歯車が変位することにより補償されるためである。
【００５８】
更に有益な点は、本発明のガイド装置は、扉の開放段階（開放ストロークの終了時）および閉鎖段階（閉鎖ストロークの終了時）の両方における衝撃を制振することができるのに適した制振手段を備えているということである。
【００５９】
本発明の更なる利点は、開放段階において扉の重量を補償することができると同時に、閉鎖段階においてユーザが扉を持ち上げる手間を減らす弾性素子や圧縮型螺旋バネが設けられている、ということである。
【００６０】
本発明の更なる利点は、扉の開放時の傾斜を正確に決定するため、また、家具に対してガイド装置を正確に位置決めするために、制振システムを調節するためのピンを操作することによって、ラックに対する歯車の回転移動を制限することが可能、ということである。
【００６１】
更に有益な点は、本発明のガイド装置は、構造上の変更を必要とすることなく、例えば靴箱、バスルーム用キャビネットなど、奥行の浅い家具にも適合するように、垂直に、すなわち、標準的な水平配置構成（本体スライダ４８の摺動方向を基準に）に対して９０°回転させて取り付けてもよいということである。
【００６２】
本発明の更なる利点は、本発明のガイド装置のコンテナ本体を規定する２つのハーフシェルが互いに同等且つ対称的であるため、家具フレームの右肩および左肩のいずれにも当該装置を搭載することが可能であり、左ガイド装置および右ガイド装置を備える必要がないということである。
【００６３】
本発明は、特に本発明の一実施形態を参照し、もっぱら非限定的な例を挙げつつ以上に説明したが、上記の説明を考慮すると、あらゆる変更や変形が可能であることは当業者にとって明らかである。したがって、本発明は、以下の特許請求の範囲内における全ての変更および変形を含むということを意図する。
【図面の簡単な説明】
【００６４】
【図１】フォールフロント式の扉が閉じた状態の家具のフレームに適用された本発明のガイド装置を模式的に示す側面透視図である。
【図２】フォールフロント式の扉が閉じた状態の家具の内側または肩に適用された上記装置を、家具の内部から模式的に示す正面図である。
【図３】フォールフロント式の扉が開いた状態の構成における本発明の装置を模式的に示す側面透視図である。
【図４】図１の円Ｘで示される本発明の装置の一部を拡大した詳細を模式的に表す図である。
【図５】図３の円Ｙで示される本発明の装置の一部を拡大した詳細を模式的に表す図である。
【図６】本発明の装置を分解した状態の不等角投影を模式的に示す図である。
【図７】前出の図とは異なる向きで家具のフレームに適用された本発明の装置を、内部から模式的に示す側面図である。
【図８】前出の図とは異なる向きで家具のフレームに適用された本発明の装置を、内部から模式的に示す正面図である。
【図９】本発明の装置のコンテナ素子の部品を模式的に表す図である。
【図１０】前出の図のコンテナ素子を面Ａ−Ａに沿って切断した断面図である。
【図１１】前出の図のコンテナ素子を面Ｂ−Ｂに沿って切断した断面図である。
【図１２】本発明の装置の構成要素を模式的に示す側面図である。
【図１３】本発明の装置の構成要素を模式的に示す正面図である。
【図１】
0006420831.tif 000002
【図２】
0006420831.tif 000003
【図３】
0006420831.tif 000004
【図４】
0006420831.tif 000005
【図５】
0006420831.tif 000006
【図６】
0006420831.tif 000007
【図７】
0006420831.tif 000008
【図８】
0006420831.tif 000009
【図９】
0006420831.tif 000010
【図１０】
0006420831.tif 000011
【図１１】
0006420831.tif 000012
【図１２】
0006420831.tif 000013
【図１３】
0006420831.tif 000014